(57)【特許請求の範囲】
【請求項１】
廃棄物を覆って斜面部分に敷設される遮水シートの表面に覆土を設ける際の覆土構造であって、
前記斜面部分における遮水シートの敷設面において、少なくとも前記斜面部分の傾斜方向と交差する方向に延長して多段に配設されたガス抜き有孔管と、該ガス抜き有孔管が配設された前記敷設面に敷設される遮水シートと、該遮水シートの表面に堆積保持される覆土とからなることを特徴とする遮水シート表面の覆土構造。
【請求項２】
前記ガス抜き有孔管が配設された前記敷設面には、不織布を敷設した後、前記遮水シートを敷設することを特徴とする請求項１に記載の遮水シート表面の覆土構造。
【請求項３】
前記ガス抜き有孔管が、前記敷設面に格子状に配設されることを特徴とする請求項１又は請求項２に記載の遮水シート表面の覆土構造。
【発明の詳細な説明】
【０００１】
【発明の属する技術分野】
この発明は、遮水シート表面の覆土構造に関し、特に、廃棄物を覆って斜面部分に敷設される遮水シートの表面に覆土を設ける際の覆土構造に関する。
【０００２】
【従来の技術】
例えば、産業廃棄物や一般廃棄物を投棄する埋立形の廃棄物処分場では、自然の地形を利用したり地盤を掘削して造成された凹状の地盤の内部に、好ましくは軟質の合成樹脂系あるいはゴム系の遮水シートを敷設して遮水工を施した後に、廃棄物を埋立ててゆくとともに、所定の厚さに廃棄物を埋め立てたら覆土で覆い、かかる廃棄物層と覆土層とを交互に積層しながら廃棄物の埋立て作業を行ってゆくことになる。
【０００３】
そして、このような廃棄物処分場では、埋立て作業が完了した後の最上部の廃棄物層や覆土層の上方を覆って遮水シートを敷設し、雨水等の廃棄物への浸透を防止するとともに、かかる遮水シートの表面に最終覆土を堆積させ、これを植生基盤として緑化を施して最終覆土の浸食を防止するとともに、良好な景観が得られるようにすることがある。
【０００４】
また、かかる廃棄物処分場では、廃棄物は、一般に、凹状の地盤の内部のみならず、これの上方に盛り立てるようにし投棄されることになるため、廃棄物の上部には、外方に向って下方に傾斜する盛土法面が斜面部分として形成されることになり、かかる斜面部分にも最終覆土が植生基盤として堆積されることになる。
【０００５】
【発明が解決しようとする課題】
しかしながら、このような斜面部分では、その勾配によって、堆積保持された覆土の重量による滑りを起こそうとする荷重が生じ、このような滑りを防ごうとする摩擦力が遮水シートとこれの敷設面との間に働くことになるとともに、かかる摩擦力が斜面部分の上部に蓄積されて、大きな引張り荷重により遮水シートが破断して覆土が一体となって滑るおそれを生じることになるという課題があった。また、平滑な遮水シート表面を覆土がすべり落ちやすいという課題もあった。
【０００６】
そこで、この発明は、かかる従来の課題に着目してなされたもので、覆土の滑りを防ごうとする摩擦力を分散して、過度に蓄積されるのを回避することにより、遮水シートが破断するのを防止することのできる、遮水シート表面の覆土構造を提供することを目的とするものである。
【０００７】
【課題を解決するための手段】
この発明は、上記目的を達成するためになされたもので、その要旨は、廃棄物を覆って斜面部分に敷設される遮水シートの表面に覆土を設ける際の覆土構造であって、前記斜面部分における遮水シートの敷設面において、少なくとも前記斜面部分の傾斜方向と交差する方向に延長して多段に配設されたガス抜き有孔管と、該ガス抜き有孔管が配設された前記敷設面に敷設される遮水シートと、該遮水シートの表面に堆積保持される覆土とからなることを特徴とする遮水シート表面の覆土構造にある。
【０００８】
また、この発明の覆土構造は、前記ガス抜き有孔管が配設された前記敷設面には、不織布を敷設した後、前記遮水シートを敷設することもできる。
【０００９】
さらに、この発明の覆土構造は、前記ガス抜き有孔管を、前記敷設面に格子状に配設することが好ましい。
【００１０】
そして、この発明の遮水シート表面の覆土構造によれば、遮水シートの敷設面に、斜面部分の傾斜方向と交差する方向にガス抜き有孔管が多段に配設されることになるので、このガス抜き有孔管により斜面部分の敷設面には凸部が形成されることになり、これによって遮水シートと敷設面との間の摩擦力を大きくするとともに、隣接するガス抜き有孔管の間に位置する覆土の滑りを凸部によって各々防止するようにして摩擦力を分散し、引張り力が遮水シートに過度に蓄積されるのを回避する。したがって、遮水シートを破断させることなく、覆土と遮水シートとが一体となって滑り出すのを容易に防止することができる。
【００１１】
また、ガス抜き有孔管が配設された敷設面には、不織布を敷設した後、遮水シートを敷設するようにすれば、ガス抜き有孔管に効率良くガスを集めることが可能になるとともに、敷設面に存在する突起物によって遮水シートが破損するのを回避することも可能になる。
【００１２】
【発明の実施の形態】
以下、この発明の好ましい実施形態を、添付図面を参照しつつ詳細に説明する。この実施形態の遮水シート表面の覆土構造は、一例として、埋立形の廃棄物処分場に投棄された廃棄物を覆って最終覆土層を形成する際に、かかる投棄された廃棄物と最終覆土との間に介在するようにして敷設された、雨水等の廃棄物への浸透を防止するための遮水シートの表面に、当該最終覆土を堆積保持するとともに、かかる最終覆土が斜面部分に沿って滑り落ちようとするのを防止するために採用されたものである。
【００１３】
すなわち、この実施形態によれば、廃棄物は、覆土層と交互に積層しながら、廃棄物処分場の凹状の地盤の内部のみならず、これの上方にまで盛り立てられることになるため、廃棄物の最上層部は盛土状に堆積して、その外周部分には、外方に向って下方に傾斜する盛土法面が斜面部分として形成されることになる。したがって、このような盛土法面に遮水シートを敷設するとともに、遮水シートを覆って最終覆土を堆積保持し、かつ、かかる最終覆土がその重量により斜面部分に沿って滑リ出そうとするのを阻止する力が引張り力として遮水シートに蓄積されて、当該遮水シートが破損し、この遮水シートと覆土とが一体として滑り出すのを防止するために、この発明の遮水シート表面の覆土構造を採用したものである。
【００１４】
そして、この実施形態の覆土構造によれば、図１及び図２に示すように、投棄された廃棄物１０の盛土法面による斜面部分１１における遮水シート１２の敷設面２０において、横方向及び縦方向に格子状に配設されたガス抜き有孔管１３と、このガス抜き有孔管１３が配設された敷設面に敷設される遮水シート１２と、この遮水シートの表面に堆積保持される最終覆土としての緑化基盤１４とによって構成されている。
【００１５】
また、この実施形態によれば、遮水シート１２は、ガス抜き有孔管１３が格子状に配設された敷設面２０に不織布１５を敷設した後に敷設されることによって、遮水シート１２と敷設面２０との間には、不織布１５が介在することになる。
【００１６】
ここで、斜面部分１１は、その勾配が１：４．５程度の緩傾斜面であって、その表面には、砂質土やモルタル、織布等の下地材により下地処理されて敷設面２０が形成され、しかる後にこの実施形態の覆土構造が設置されることになる。
【００１７】
また、ガス抜き有孔管１３は、例えば直径が３０〜１００ｍｍ程度の大きさの、周面に多数の細孔か形成された、塩化ビニルやコンクリート等からなるもので、ガス抜き立管１６などの集ガス排出設備と連通して、廃棄物１０から発生したガスを大気中に放出し、ガス圧によって遮水シート１２が持ち上がったり、ガスによって緑化基盤１４に植生した芝草等が枯れるのを防止することになる。
【００１８】
そして、この実施形態によれば、ガス抜き有孔管１３は、斜面部分１１の傾斜方向と交差する方向である横方向に延長して、例えば３〜１０ｍ程度の間隔をおいて多段に配設されるとともに、これと直交する縦方向にも例えば１０〜２０ｍ程度の間隔をおいて延長配設されることにより、遮水シート１２の敷設面２０に格子状に設置されることになる。
【００１９】
一方、ガス抜き有孔管１３を覆うようにして敷設面２０と遮水シート１２との間に介在する不織布１５は、例えば合成繊維等からなる厚さが３〜２０ｍｍ程度のもので、かかる不織布１５によって、ガス抜き有孔管１３に効率良く廃棄物１０からのガスを集めることが可能になるとともに、敷設面２０に存在する突起物によって遮水シート１２が破損するのを回避することが可能になる。
【００２０】
さらに、遮水シート１２としては、例えば特開平９−１８４１４１号公報に記載されているような、軟質又は硬質の合成樹脂系あるいはゴム系のシート部材１７に、多数の線条が不規則な多数のループをなして絡み合う網状体としてのヘチマ構造１８を固着したものを使用することができ、かかる構成の遮水シート１２によれば、ヘチマ構造１８に緑化基盤１４を付着させるようにして堆積させることにより、緑化基盤１４の厚さが例えば５０ｃｍ程度の大きなものであっても、斜面部分１１に緑化基盤１４を強固に堆積保持することが可能になる。
【００２１】
そして、このようなヘチマ構造１８を固着した遮水シート１２を用いることにより、最終覆土としての緑化基盤１４が、遮水シート１２の直上ですべりを起こそうとするのを容易に回避することができる。すなわち、最終覆土の材料としては粘土分を含む土砂が用いられることが多いが、降雨の浸透が繰り返されることによって、シート直上に細粒分（粘土やコロイド分）が層を作るような状態になって、地滑り的に滑りを発生させる可能性が高いが、この実施形態によれば、遮水シート１２は、シート部材１７とヘチマ構造１８とが固着されていることにより、遮水シート１２の直上において、遮水シート１２の表面に沿ったせん段抵抗が付与され、これによって緑化基盤１４の滑り出しを容易に回避することが可能になる。
【００２２】
また、かかる遮水シート１２は、図２に示すように、例えば幅５〜１０ｍ程度の大きさの遮水シート片１２’用い、傾斜方向下方に位置する遮水シート片１２’の上端部分の上面に、傾斜方向上方に位置する遮水シート片１２’の下端部分を重ねるようにして、各遮水シート片１２’の上端部分を固定釘１９により固定しつつ屋根瓦状に配設してゆくことができ、これによって斜面部分１１の下方部分の滑り力が上方部分に蓄積されないようにその引張り力を遮断することが可能になる。
【００２３】
そして、この実施形態によれば、遮水シート１２の表面には、さらに緑化基盤１４としての最終覆土が堆積保持されることになる。すなわち、かかる緑化基盤１４の造成作業は、まず吹付け作業によって、繊維状物の混合土砂による例えば１〜１０ｃｍ程度の厚さの吹付け層２１を形成する。かかる吹付け層２１は、これの上方に重機によって粘性土を撒出し転圧して最終覆土層を形成する際の、突起物による損傷を防止する機能をはたすとともに、遮水シート１２のヘチマ構造１８と一体となって、緑化基盤１４を浸透する雨水の排水層と保水層としての機能を併せ持つことになる。また、覆土１４の透水性が悪く飽和して滑り抵抗が減少した場合に、当該滑り抵抗を補うことも可能になる。
【００２４】
次に、このようにして形成された吹付け層２１の上方に、粘性土を最終覆土として撒出し転圧して緑化基盤１４の造成が行われることになるが、この際の撒出し厚さは最少で３０ｃｍとなるような厚い撒き出しとし、ダンプトラック等の運搬路の厚さは１〜１．５ｍ程度として、仕上げ段階ではこれを削り取って最終的に５０ｃｍ程度の厚さに仕上げることになる。
【００２５】
このような撒出し厚さで施工をすることにより、重機が遮水シート１２に直接触れて破損したり、振動や制動時に過大な荷重がかかって引張り力により遮水シート１２が破損するのを容易に回避することが可能になるとともに、最終覆土層としての緑化基盤１４には、芝草や花の種子を吹付けて緑化による美観の向上が図られることになるが、かかる緑化基盤１４は、最終的に５０ｃｍ程度の大きな厚さを有することから保水性に富み、従って表面の緑化の永続性を保つことが容易になる。なお、吹付けられる種子は、植生すべき芝草等の適正を鑑みて、多種類を混合して吹付けるようにすることが好ましい。また、花の種を混入すれば花園にすることも可能である。
【００２６】
また、この実施形態によれば、縦方向に４０ｍ程度、横方向に１０ｍ程度の間隔をおいて、縦横にＵ字溝２２が設けられていて、降り注いだ雨水をこれらのＵ字溝２２を介して排水することができるようになっているとともに、かかるＵ字溝２２の交点には、集水枡が設けられて土砂溜めとされている。すなわち、これらを介して雨水を排除することによって、斜面部分１１の長さが、例えば１００ｍ程度と長い場合でも、緑化基盤１４の表面に沿って流下する雨水が斜面部分１１の下端で相当の水量や流速となって当該緑化基盤１４を浸食しようとするのを、容易に回避することができる。
【００２７】
そして、この実施形態の覆土構造によれば、上述のように、遮水シート１２の敷設面２０にガス抜き有孔管１３が格子状に配設されているので、このガス抜き有孔管１３により斜面部分１１の敷設面には凸部が形成されることになり、これによって遮水シート１２と敷設面２０との間の摩擦力を大きくするとともに、傾斜方向に隣接するガス抜き有孔管１３の間に位置する最終覆土の滑りをこれらの凸部によって各々防止するようにして摩擦力を分散し、引張り力が遮水シート１２に過度に蓄積されるのを回避することになる。したがって、遮水シート１２を破断させることなく、最終覆土としての緑化基盤１４と遮水シート１２とが一体となって滑り出すのを容易に防止することができる。
【００２８】
なお、この発明は、上記実施形態の実施の態様のものに限定されるものではなく、各請求項に記載された構成の範囲内において種々に変更して採用することができる。例えば、ガス抜き有孔管は、必ずしも敷設面に格子状に配設する必要はなく、また、遮水シートは、必ずしも遮水シート片を用いて屋根瓦状に敷設する必要はない。
【００２９】
【発明の効果】
以上詳細に説明したように、この発明の遮水シート表面の覆土構造によれば、斜面部分における遮水シートの敷設面において、少なくとも斜面部分の傾斜方向と交差する方向に延長して多段に配設されたガス抜き有孔管と、このガス抜き有孔管が配設された敷設面に敷設される遮水シートと、この遮水シートの表面に堆積保持される覆土とからなるので、覆土の滑りを防ごうとする摩擦力を分散して過度に蓄積されるのを回避することにより、遮水シートが破断するのを防止し、覆土と遮水シートとが一体となって滑り出すのを容易に防止することができる。
【図面の簡単な説明】
【図１】この発明の一実施形態にかかる遮水シート表面の覆土構造の構成を示す略示断面図である。
【図２】図１のＡ部を拡大して示す断面図である。
【符号の説明】
１０  廃棄物処分場
１１  斜面部分
１２  遮水シート
１２’  遮水シート片
１４  緑化基盤（覆土）
１５  不織布
１７  シート部材
１８  ヘチマ構造
２０  敷設面
２１  吹付け層
２２  Ｕ字溝
【図１】
0003822972.tif 000002
【図２】
0003822972.tif 000003